(57)【要約】【課題】揺動型運動装置を安定して使用できると共に大きな力を必要とせずに移動をさせることができる揺動型運動装置を提供する。【解決手段】使用者が跨って着座可能な座部４と、この座部４を揺動運動させる運動機構と、この運動機構を内装するための台座２と、を備えた揺動型運動装置１であって、台座２にキャスター８を設け、このキャスター８が、移動時には台座２を床面と接触させずに転動し、非移動時には台座２を床面に接触させて転動しないようにする切替機能を有する。【選択図】図１
2007259892.tif 000002
【特許請求の範囲】
【請求項１】
使用者が跨って着座可能な座部と、この座部を揺動運動させる運動機構と、この運動機構を内装するための台座と、を備えた揺動型運動装置であって、台座にキャスターを設け、このキャスターが、移動時には台座を床面と接触させずに転動し、非移動時には台座を床面に接触させて転動しないようにする切替機能を有する揺動型運動装置。
【請求項２】
台座下端部の左右方向両端部の縁に沿って台座の前後方向の外方に突出するように支持脚がそれぞれ設けられ、支持脚の前後端部にキャスターが設けられていることを特徴とする請求項１記載の揺動型運動装置。
【請求項３】
キャスターがレバーと水平回動軸と車輪と止め部とを備え、止め部が支持脚端部付近に設けられ、水平回動軸がこの止め部よりも支持脚の端部側に止め部と隣り合うように設けられ、レバーがこの水平回動軸を中心に回動するように設けられ、車輪がこのレバーの長手方向の一端に設けられ、台座が床面と接触していない場合においてこの車輪が支持脚の端部側へ回動されると台座の底面より上側に引退されて台座が床面と接触し、台座が床面と接触している場合に同車輪が支持脚の端部側とは逆側へ回動されると台座の底面より下側に突出した状態で止め部によって当止固定されて台座が床面と接触しなくなる、という切替機能を有することを特徴とする請求項２記載の揺動型運動装置。
【発明の詳細な説明】
【技術分野】
【０００１】
本発明は、身体のバランス機能及び運動機能を訓練するために用いられる揺動型運動装置に関するものである。
【背景技術】
【０００２】
従来から、特開２００４−２１６０７３号公報（特許文献１）に示されるように、揺動型運動装置は知られている。この揺動型運動装置は図５に示すように、使用者が跨って着座可能な座部４と、この座部４を揺動運動させる運動機構と、この運動機構を内装するための台座２と、台座２を固定するための支持脚３と、を備えている。支持脚３は台座２下端部の左右方向両端部の縁に沿って台座２の外方に突出するようにそれぞれ設けられている。支持脚３の下側の前後両端部付近には一定の高さを持つ滑り止め１６が突出している。そして、支持脚３の後端には通常使用時において床面に接しないように移動用のキャスター１８が設けられている。
【０００３】
よって、この揺動型運動装置２１の使用時においては、キャスター１８が床面に接することで揺動型運動装置２１が不安定になることがない。
【特許文献１】特開２００４−２１６０７３号公報
【発明の開示】
【発明が解決しようとする課題】
【０００４】
しかしながら、特開２００４−２１６０７３号公報に示される上記従来例の揺動型運動装置２１にあっては、移動させようとする時には支持脚３を持ち上げることでキャスター１８を床面に接触させ、その状態を維持しながら押すという動作が求められる。よって、体力の無い高齢者や子供等には支持脚３を持ち上げることが大変であり、揺動型運動装置２１を移動させる事が困難である場合があった。
【０００５】
本願発明は上記背景技術に鑑みて発明されたものであり、その目的は揺動型運動装置を安定して使用できると共に大きな力を必要とせずに移動をさせることができる揺動型運動装置を提供することである。
【課題を解決するための手段】
【０００６】
上記課題を解決するために、本願請求項１記載の発明では、使用者が跨って着座可能な座部と、この座部を揺動運動させる運動機構と、この運動機構を内装するための台座と、を備えた揺動型運動装置であって、台座にキャスターを設け、このキャスターが、移動時には台座を床面と接触させずに転動し、非移動時には台座を床面に接触させて転動しないようにする切替機能を有する。
【０００７】
又、本願請求項２記載の発明では、上記請求項１記載の揺動型運動装置において、台座下端部の左右方向両端部の縁に沿って台座の前後方向の外方に突出するように支持脚がそれぞれ設けられ、支持脚の前後端部にキャスターが設けられていることを特徴としている。
【０００８】
又、本願請求項３記載の発明では、上記請求項２記載の揺動型運動装置において、キャスターがレバーと水平回動軸と車輪と止め部とを備え、止め部が支持脚端部付近に設けられ、水平回動軸がこの止め部よりも支持脚の端部側に止め部と隣り合うように設けられ、レバーがこの水平回動軸を中心に回動するように設けられ、車輪がこのレバーの長手方向の一端に設けられ、台座が床面と接触していない場合においてこの車輪が支持脚の端部側へ回動されると台座の底面より上側に引退されて台座が床面と接触し、台座が床面と接触している場合に同車輪が支持脚の端部側とは逆側へ回動されると台座の底面より下側に突出した状態で止め部によって当止固定されて台座が床面と接触しなくなる、という切替機能を有することを特徴としている。
【発明の効果】
【０００９】
本願請求項１記載の発明の揺動型運動装置においては、台座にキャスターを設け、このキャスターが、移動時には台座を床面と接触させずに転動し、非移動時には台座を床面に接触させて転動しないようにする切替機能を有するので、台座を床面に接触させることで安定して使用することができると共に、台座を床面と接触させずにキャスターを床面と接触させて転動させることで、大きな力を必要とせずに移動させることができる。
【００１０】
本願請求項２記載の発明の揺動型運動装置においては、特に、台座下端部の左右方向両端部の縁に沿って台座の前後方向の外方に突出するように台座の一部である支持脚がそれぞれ設けられているので、各支持脚の前後幅が台座本体の前後幅よりも大きくなり、支持脚の前端部付近と後端部付近とがより大きく間隔を空けて床面に対して接することになる。これにより、安定して支持することができる。そして、キャスターが支持脚の前後端部に設けられているので、移動時には４つのキャスターが床面に対して前後に大きく間隔を空けて接することになってより安定して移動することができる。
【００１１】
本願請求項３記載の発明の揺動型運動装置においては、特に、キャスターを回動させることで、台座の床面との接触状態を切替えるので、使用者は大きな力を必要とせずに容易に切替えることができる。
【発明を実施するための最良の形態】
【００１２】
以下、本願発明を添付図面に示す実施形態に基づいて説明する。
【００１３】
図１〜４は、本願請求項１〜３全てに対応した一実施形態である揺動型運動装置１を示している。
【００１４】
この揺動型運動装置１は、使用者が跨って着座可能な座部４と、この座部４を揺動運動させる運動機構と、この運動機構を内装するための台座２と、を備え、台座２の四隅にキャスター８を設け、このキャスター８が、移動時には台座２を床面１５と接触させずに転動し、非移動時には台座２を床面１５に接触させて転動しないようにする切替機能を有する。
【００１５】
そして、台座２下端部の左右方向両端部の縁に沿って台座２の前後方向の外方に突出するように台座２の一部である支持脚３がそれぞれ設けられ、支持脚３の前後端部にキャスター８が設けられている。
【００１６】
そして、キャスター８がレバー９と水平回動軸１０と車輪１１と止め部１２とを備え、止め部１２が支持脚３端部付近に設けられ、水平回動軸１０がこの止め部１２よりも支持脚３の端部側に止め部１２と隣り合うように設けられ、レバー９がこの水平回動軸１０を中心に回動するように設けられ、車輪１１がこのレバー９の長手方向の一端に設けられ、台座２が床面１５と接触していない場合においてこの車輪１１が支持脚３の端部側へ回動されると台座２の底面１３より上側に引退されて台座２が床面１５と接触し、台座２が床面１５と接触している場合に同車輪１１が支持脚３の端部側とは逆側へ回動されると台座２の底面１３より下側に突出した状態で止め部１２によって当止固定されて台座２が床面１５と接触しなくなる、という切替機能を有する。
【００１７】
以下、この実施形態の揺動型運動装置１をより具体的詳細に説明する。
【００１８】
本実施形態の揺動型運動装置１は図１で示すように、台座２の下端部の短手幅方向の両端部には床面１５に載置されて台座２を固定するための支持脚３を設けてあり、支持脚３の前後端部にはキャスター８がそれぞれ設けてあり、台座２の上面には使用者が着座するための鞍状の座部４を設けてある。
【００１９】
座部４の上面には、着座した使用者の臀部、両太ももの裏側及び内側、両膝の内側が接触する馬の鞍形状の座面５が形成されている。座面５の前部、すなわち両太ももの裏側及び内側、両膝の内側が接触する部分は、幅方向における外側程下方に位置するよう傾斜している。一方、座面５の後部（臀部が接触する部分）は後方程上方に位置するように傾斜している。また、座部４の上面の前部中央には操作部７を設けている。図中６は座部４の幅方向両側の下端部から下方に伸びる左右軸回りに回動自在となった鐙部６であり、座部４に着座した使用者がこの鐙部６に足を載置できるようになっている。なお、この鐙部６は設けなくても良いものとする。
【００２０】
台座２には前記座部４を揺動させる運動機構（図示せず）を内装してあり、この運動機構としては、例えば駆動源としてのモータと、モータの回転を座部４の揺動に変換する運動変換機構とを備えたものを使用する。そして上記運動機構は前述した操作部７に接続されており、操作部７により操作できるように設定されている。なお、本実施形態における運動機構は、座部４を前後方向に直進往復移動させると共に前後軸及び左右軸回りに回転往復移動させ、３自由度で座部４を揺動させるものとするが、揺動方向及び自由度はこれに限定されるものではない。
【００２１】
そして上記バランス訓練装置１を用いてバランス訓練を行う場合は、使用者が座部４の座面５に跨った状態で着座して、操作部７を操作することで、運動機構を駆動させて座部４を揺動させる。このように座部４を揺動させることで、使用者はバランス機能の訓練、腰背筋群や太ももの筋力強化、股関節の柔軟化などの訓練効果が得られる
本実施形態の揺動型運動装置１を移動させるためのキャスター８は図２に示すようにレバー９と、水平回動軸１０と、車輪１１と、止め部１２と、を備える。
【００２２】
キャスター８を回動させる際に握ったり蹴ったりするためのレバー９は金属やプラスチック等からなり、くの字状である。転動して本実施形態の揺動型運動装置１を移動させるための車輪１１はレバー９の先端に設けられている。この車輪１１は樹脂やプラスチック等からなる。水平回動軸１０は支持脚３の端部付近に設けられている。この水平回動軸１０を中心にレバー９が回動するように、支持脚３の内側の側面１４において、レバー９の長手方向中央付近と水平回動軸１０とが結合している。そして、レバー９を当止固定するための止め部１２は水平回動軸１０と隣り合うように設けられている。なお、レバー９及び止め部１２を設ける位置は支持脚３の外側の側面等であっても問題ない。
【００２３】
レバー９を回動させることにより、先端に設けられた車輪１１も回動し、車輪１１と床面１５との接触状態を切替えることができる。図２（ａ）に示すように、車輪１１が台座２の底面１３より上側に位置する時は、台座２と床面１５とが接触状態になる。図３に示すように、本実施形態の揺動型運動装置１はこの状態で使用することとなる。この状態から、レバー９を回動させて車輪１１を支持脚３の端部側とは逆側へ回動させると、図２（ｂ）に示すように、車輪１１が台座２より下側に位置し、レバー９が止め部１２によって当止固定され、キャスター８が台座２を持ち上げて台座２と床面１５とを非接触状態にする。そして、設けられている４つのキャスター８の車輪１１を台座２より下側に位置させてレバー９を止め部１２によって当止固定した後は、図４に示すように、使用者が移動させたい方向に対して座部４等を押すことで本実施形態の揺動型運動装置１を移動させることができる。レバー９を回動させるには手や足で押し引きしたりする方法がある。又、重くて回動させることが困難な場合は、片側を軽く持ち上げて、足でキャスター８を蹴ることで容易に回動させることができる。
【００２４】
したがって、この実施形態の揺動型運動装置１においては、台座２の四隅にキャスター８を設け、このキャスター８が、移動時には台座２を床面１５と接触させずに転動し、非移動時には台座２を床面１５に接触させて転動しないようにする切替機能を有するので、台座２を床面１５に接触させることで安定して使用することができると共に、台座２を床面１５と接触させずに四隅に設けられたキャスター８を床面１５と接触させて転動させることで、大きな力を必要とせずに移動させることができる。
【００２５】
更に、台座２下端部の左右方向両端部の縁に沿って台座２の前後方向の外方に突出するように台座２の一部である支持脚３がそれぞれ設けられているので、台座２が前後方向に幅広くなる。各支持脚３の前後幅が台座２本体の前後幅よりも大きくなり、支持脚３の前端部付近と後端部付近とがより大きく間隔を空けて床面１５に対して接することになる。これにより、安定して支持することができる。そして、キャスター８が支持脚３の前後端部に設けられているので、移動時には４つのキャスター８が床面１５に対して前後に大きく間隔を空けて接することになってより安定して移動することができる。
【００２６】
更に、キャスター８を回動させることで、台座２の床面１５との接触状態を切替えるので、使用者は大きな力を必要とせずに容易に切替えることができる。
【００２７】
なお、このキャスター８を電動で稼動させてもよい。この場合は車輪１１を電動で回動させることで、台座２と床面１５との接触状態の切替えを容易にすることができる。更に、車輪１１の転動を電動ですることで、使用者が着座した状態で移動することもできる。又、充電器を台座２に内装させてもよい。この場合は、電源が近くになくてもある一定時間本実施形態の揺動型運動装置１を使用できる。
【図面の簡単な説明】
【００２８】
【図１】本願発明の一実施形態である揺動型運動装置の斜視図。
【図２】（ａ）は同揺動型運動装置の台座が床面に接している場合のキャスターの要部拡大側面図、（ｂ）は同揺動型運動装置の台座が床面に接していない場合のキャスターの要部拡大側面図。
【図３】同揺動型運動装置の使用状態の側面図。
【図４】使用者が同揺動型運動装置を移動させている状態の側面図。
【図５】従来例である揺動型運動装置を示す斜視図。
【符号の説明】
【００２９】
１  揺動型運動装置
２  台座
３  支持脚
４  座部
５  座面
６  鐙部
７  操作部
８  キャスター
９  レバー
１０  水平回動軸
１１  車輪
１２  止め部
１３  台座の底面
１４  支持脚の内側の側面
１５  床面
【図１】
2007259892.tif 000003
【図２】
2007259892.tif 000004
【図３】
2007259892.tif 000005
【図４】
2007259892.tif 000006
【図５】
2007259892.tif 000007